(57)【要約】【課題】コマンドにて作成していたフォームを、効率的に、ＧＵＩを使用して作成したフォームに変換する。【解決手段】本発明の実施形態の情報処理装置は、表示手段と、所定の帳票を描写する罫線コマンドを帳票ごとに記憶する記憶手段と、前記記憶手段に記憶されている帳票の中から、一の帳票と、当該帳票を作成するために必要な罫線コマンドの一覧表と、を前記表示手段に表示する表示制御手段と、前記一覧表の前記罫線コマンドを罫線に変換するか否かを設定する設定手段と、前記設定手段における設定に従って前記帳票の罫線を変換する変換手段と、前記変換手段により変換された帳票と、当該帳票の罫線コマンドとを前記記憶手段に保存する保存手段と、を有する。【選択図】図６
2014160312.tif 000002
【特許請求の範囲】
【請求項１】
表示手段と、
所定の帳票を描写する罫線コマンドを帳票ごとに記憶する記憶手段と、
前記記憶手段に記憶されている帳票の中から、一の帳票と、当該帳票を作成するために必要な罫線コマンドの一覧表と、を前記表示手段に表示する表示制御手段と、
前記一覧表の前記罫線コマンドを罫線に変換するか否かを設定する設定手段と、
前記設定手段における設定に従って前記帳票の罫線を変換する変換手段と、
前記変換手段により変換された帳票と、当該帳票の罫線コマンドとを前記記憶手段に保存する保存手段と、
を有する情報処理装置。
【請求項２】
文書を入力する入力手段を更に備え、
前記表示制御手段は、前記入力手段により入力された文書を前記帳票に重ね合わせて前記表示手段に表示する、
ことを特徴とする請求項１に記載の情報処理装置。
【請求項３】
前記変換手段は、前記設定手段のコマンドの一覧表にある、前記コマンドを帳票へ変換することを示すマークを消すことで帳票へ変換しない、
ことを特徴とする請求項１または２に記載の情報処理装置。
【請求項４】
前記表示制御手段は、前記設定手段のコマンドの一覧表に記載されたコマンドを選択することにより、当該コマンドに対応する描画が選択されていることを示す表示を前記帳票に表示する、
ことを特徴とする請求項１なしい３のいずれか一に記載の情報処理装置。
【請求項５】
描画を入力する描画入力手段を更に備え、
前記表示制御手段は、前記画面へ前記描画入力手段により入力された描画を表示する、
ことを特徴とする請求項１なしい４のいずれか一に記載の情報処理装置。
【請求項６】
表示手段と、
所定の帳票を描写する罫線コマンドを帳票ごとに記憶する記憶手段と、を有する情報処理装置を制御するコンピュータを、
前記記憶手段に記憶されている帳票の中から、一の帳票と、当該帳票を作成するために必要な罫線コマンドの一覧表と、を前記表示手段に表示する表示制御手段と、
前記一覧表の前記罫線コマンドを罫線に変換するか否かを設定する設定手段と、
前記設定手段における設定に従って前記帳票の罫線を変換する変換手段と、
前記変換手段により変換された帳票と、当該帳票の罫線コマンドとを前記記憶手段に保存する保存手段と、
して機能させるためのプログラム。
【発明の詳細な説明】
【技術分野】
【０００１】
本発明の実施形態は、情報処理装置及びプログラムに関する。
【背景技術】
【０００２】
帳票発行を行う事務機では、入力項目だけでなく、帳票のフォームも合わせて印字する機能が知られている。罫線、矩形、画像などを使用した帳票のフォームを作成する手段として、プログラムファイルにフォームを作成するためのコマンドを記述する方法がある。または、ＧＵＩ（Ｇｒａｐｈｉｃａｌ  Ｕｓｅｒ  Ｉｎｔｅｒｆａｃｅ）を使用したフォームを作成するための専用ツールを使用する方法がある。
【０００３】
ツールを使用した場合は、設定に従って印刷されるため、印刷内容は固定である。一方、コマンドを使用した場合は、条件により印字をするか否かを変更したり、印字位置を変更したりすることもできる。
【０００４】
フォームの作成方法は、上述のように、それぞれに特性があることから、コマンドを使用したフォーム作成から、ツールを使用したフォーム作成に切り替える場合がある。その際に、ユーザは、プログラムに記述されているコマンドを解析し、必要な物だけを判断して、ツールを使用してフォームを作成しなければならない。すなわち、不要になったコマンドは、削除しなければならず、間違える可能性があり、作業効率も良くないという欠点があった。
【発明の概要】
【発明が解決しようとする課題】
【０００５】
本発明の実施形態が解決しようとする課題は、コマンドにて作成していたフォームを、効率的に、ＧＵＩを使用して作成したフォームに変換することが可能な情報処理装置及びプログラムを提供することである。
【課題を解決するための手段】
【０００６】
実施形態の情報処理装置は、表示手段と、所定の帳票を描写する罫線コマンドを帳票ごとに記憶する記憶手段と、前記記憶手段に記憶されている帳票の中から、一の帳票と、当該帳票を作成するために必要な罫線コマンドの一覧表と、を前記表示手段に表示する表示制御手段と、前記一覧表の前記罫線コマンドを罫線に変換するか否かを設定する設定手段と、前記設定手段における設定に従って前記帳票の罫線を変換する変換手段と、前記変換手段により変換された帳票と、当該帳票の罫線コマンドとを前記記憶手段に保存する保存手段と、を有する。
【図面の簡単な説明】
【０００７】
【図１】図１は、本実施形態の事務機の外観を示す斜視図である。
【図２】図２は、事務機のハードウェア構成を示すブロック図である。
【図３】図３は、事務機のソフトウェア構成を示す図である。
【図４】図４は、業務アプリケーションプログラムの各項目の入力画面の例を示す図である。
【図５】図５は、業務アプリケーションの印刷プレビュー画面を示す図である。
【図６】図６は、印刷フォーム変換画面を示す図である。
【図７】図７は、印刷フォーム変換画面の変換後の状態を示す図である。
【図８】図８は、罫線印刷コマンドの書式を示す図である。
【図９】図９は、罫線印刷コマンドの設定表を示す図である。
【図１０】図１０は、画像印刷コマンドの書式を示す図である。
【図１１】図１１は、画像印刷コマンドの設定表を示す図である。
【図１２】図１２は、ファイル保存画面を示す図である。
【図１３】図１３は、帳票等を発行する処理の流れを示すフローチャートである。
【発明を実施するための形態】
【０００８】
図１は、本実施形態の事務機１の外観を示す斜視図である。本実施形態にかかる事務機１は、本体部２と、キーボード４と、ディスプレイ５と、を備える。キーボード４およびディスプレイ５は、本体部２の筐体３の前面側に配置される。したがって、ユーザは、本体部２の前方側となる位置で、事務機１を使用する。
【０００９】
本体部２の筐体３内には、印字部（不図示）が収容される。また、ディスプレイ５の下方には、給紙口６ａが形成される。ユーザによってディスプレイ５の下の給紙口６ａから挿入された紙をローラ等で搬送し、印字部を介して排紙口６ｂから排出する。本実施形態では、印字部と搬送機構等とによってプリンタ６を構成する。また、印字部は、例えばドットインパクトプリントヘッドやサーマルヘッド、インクジェットヘッド等の印字ヘッドを有する。  
【００１０】
図２は、本実施形態の事務機１のハードウェア構成を示すブロック図である。事務機１は、ＣＰＵ（Ｃｅｎｔｒａｌ  Ｐｒｏｃｅｓｓｉｎｇ  Ｕｎｉｔ）１０、ＲＯＭ（Ｒｅａｄ  Ｏｎｌｙ  Ｍｅｍｏｒｙ）１１、ＲＡＭ（Ｒａｎｄｏｍ  Ａｃｃｅｓｓ  Ｍｅｍｏｒｙ）１２、ハードディスクドライブ１３、補助記憶装置１４、通信インターフェイス１５がバスライン１９で接続される。バスライン１９は、アドレスバス、データバス等を有する。補助記憶装置１４は、磁気ディスク、光ディスク等に対して書き込みや読み込みを行う機能を有する。
【００１１】
記憶手段であるハードディスクドライブ１３には、ＯＳ（Ｏｐｅｒａｔｉｎｇ  Ｓｙｓｔｅｍ）１００と、伝票及び帳票を発行するプログラムである業務アプリケーション１１０等のソフトウェアが記憶される（図３参照）。
【００１２】
事務機１には、表示手段として、前述したＬＣＤ（Ｌｉｑｕｉｄ  Ｃｒｙｓｔａｌ  Ｄｉｓｐｌａｙ）等で構成されたディスプレイ５が装着される。また、入力手段として、前述したキーボード４の他、マウス１６、及び、バーコードスキャナ１７等が装着される。そして、事務機１は、印字制御部１８を介してプリンタ６が接続される。
【００１３】
図３は、本実施形態の事務機１のソフトウェア構成を示す図である。事務機１のソフトウェアは、ＯＳ１００と、業務アプリケーション１１０と、を含む。
【００１４】
業務アプリケーション１１０は、動作するために必要なファイル群であるミドルウェアファイル群１１１と、業務アプリケーションファイル群１１２を含む。ミドルウェアファイル群１１１は、メニュー表示と、プリンタ制御と、インタプリタと、として機能させるためのプログラムが記載されたファイルを有する。
【００１５】
メニュー表示のプログラムは、各画面のメニューを表示させるプログラムである。プリンタ制御のプログラムは、印字制御部１８と協働でプリンタ６を制御するプログラムである。インタプリタのプログラムは、業務アプリケーション１１０の解析と実行を行うプログラムである。
【００１６】
業務アプリケーションファイル群１１２は、画面設定ファイルと、プログラムファイルと、印刷フォームファイルと、データファイルと、を有する。
【００１７】
画面設定ファイルには、後述する図４に示す各項目の入力画面２００の設定が記載されたファイルである。プログラムファイルは、描画を表示するためのコマンドが記載されたファイルである。印刷フォームファイルは、印刷フォームが記載されたファイルである。データファイルは、後述する図４に示す各項目の入力画面２００から入力された値が記載されたファイルである。
【００１８】
ＯＳ１００は、ワーキングエリア１０６と、制御部１０１と、プログラム管理部１０２と、プログラム実行部１０３と、表示制御部１０４と、入力制御部１０５と、を有する。ワーキングエリア１０６は、ミドルウェアの格納バッファであるミドルウェア格納バッファ１０７と、業務アプリケーションの格納バッファである業務アプリケーション格納バッファ１０８として使用される。
【００１９】
制御部１０１は、プログラム管理部１０２、プログラム実行部１０３、表示制御部１０４、入力制御部１０５を用いて、ＣＰＵ１０との協働により業務アプリケーション１１０を制御する。プログラム管理部１０２は、ミドルウェアファイル群１１１や業務アプリケーションファイル群１１２を読み込む。すると、ミドルウェアファイル群１１１や業務アプリケーションファイル群１１２は、ミドルウェア格納バッファ１０７と業務アプリケーション格納バッファ１０８に展開される。そして、プログラム実行部１０３は、それぞれの格納バッファに展開されたプログラムを実行する。
【００２０】
表示制御手段である表示制御部１０４は、画面設定ファイルの設定に従い後述する図４に示す画面を表示する機能を有する。また、表示制御部１０４は、プログラムファイルと、印刷フォームファイルと、データファイルと、を用いて後述する図５に示す印刷プレビュー画面３００を表示する機能を有する。さらに、表示制御部１０４は、描画変換手段としてプログラムファイルに記載されたコマンドを描画データに変換して、後述する図６に示す印刷フォーム変換画面４００を表示する機能を有する。
【００２１】
図４は、業務アプリケーションプログラムの各項目の入力画面２００の例を示す図である。業務アプリケーション１１０が起動されると、表示制御部１０４は、画面設定ファイルの内容に従い、入力画面２００を表示する。入力画面２００は、伝票区分、伝票日付及び、得意先コード等の各項目を入力する画面である。また、画面右下には、締めボタン２０１が設けられる。締めボタン２０１は、印刷プレビュー画面３００を表示させるためのボタンである。
【００２２】
図５は、業務アプリケーション１１０の印刷プレビュー画面３００を示す図である。印刷プレビュー画面３００は、プリンタ６で印刷する前に、伝票区分、伝票日付及び、得意先コードなどの入力項目や、印刷フォームを確認する画面である。また、画面右下には、ジャンプボタン３０１と、ズームボタン３０２と、指定頁ボタン３０３と、全頁ボタン３０４と、現頁ボタン３０５と、終ボタン３０６、とが設けられる。
【００２３】
ジャンプボタン３０１は、任意の頁へ移動する場合に使用するボタンである。ズームボタン３０２は、印刷プレビュー画面３００の表示を拡大するボタンである。指定頁ボタン３０３は、指定した頁を印刷するボタンである。全頁ボタン３０４は、全頁を印刷するボタンである。現頁ボタン３０５は、現在表示している頁を印刷するボタンである。終ボタン３０６は、業務アプリケーション１１０を終了する場合に使用するボタンである。
【００２４】
また、印刷プレビュー画面３００で、特定のキーが押されると、業務アプリケーション１１０は、図６にて後述する印刷フォーム変換画面４００を表示する。また、特定のキーとは、例えば「Ｓｈｉｆｔ」＋「Ｆ1」キー等である。
【００２５】
図６は、印刷フォーム変換画面４００を示す図である。印刷フォーム変換画面４００は、画面左側に印刷プレビュー変換画面４０１を表示する。また、画面右側には、プログラムファイルに記載されている罫線印刷コマンドと画像印刷コマンドのコマンドリスト４０２を表示する。印刷プレビュー変換画面４０１において、伝票区分、伝票日付、得意先コードなどの入力項目は、背景を灰色などにして区別して表示する。
【００２６】
コマンドリスト４０２の変換列４０３は、設定手段であって該当するコマンドを描画に変換するか否かを設定する列である。描画への変換をすることを示すマークであるチェックがはずれされることで、表示制御手段１０４は、描画への変換を行わない。コマンドリスト４０２のプログラム行Ｎｏ列４０４は、該当するコマンドが記載されているプログラムの行数が表示される列である。コマンドリスト４０２のコマンド列４０５は、罫線印刷コマンド又は画像印刷コマンドのいずれかが記載されている列である。
【００２７】
また、コマンドリスト４０２の特定のコマンドを選択状態にすると、表示制御部１０４は、印刷プレビュー変換画面４０１の該当する描画の、四隅または両端に四角形の選択マーク４０６を表示する。選択マーク４０６により、ユーザは、コマンドに対応する描画がわかる。
【００２８】
また、印刷プレビュー変換画面４０１には、マウス１６などの描画入力手段を用いることで、描画を追加することが可能である。
【００２９】
保存手段であるファイルへ保存ボタン４０７は、描画をファイルに保存するボタンである。キャンセルボタン４０８は、変換を中止し、印刷プレビュー画面３００に戻すボタンである。
【００３０】
図７は、印刷フォーム変換画面４００の変換後の状態を示す図である。図７のコマンドリスト４０２は、最上段の変換列４０５のチェックボックスがチェックされていない。よって、当該コマンドは変換されないので、対応する描画は、表示されない。
【００３１】
図８は、罫線印刷コマンドの書式を示す図である。図９は、罫線印刷コマンドの設定表を示す図である。罫線印刷コマンド５００の記載方法を、設定表５００ａを用いて説明する。
【００３２】
まず、始点と終点を結ぶ線を対角線とする矩形（長方形）を描写する場合の、コマンド設定方法を説明する。始点は、開始ライン番号５０１、５０１ａと開始カラム番号５０２、５０２ａで設定する。終点は、終了ライン番号５０３、５０３ａと終了カラム番号５０４、５０４ａで設定する。矩形の線の太さと、線種と、塗りつぶしは、線幅５０５、５０５ａで設定する。線の色は、線色番号５０６、５０６ａで設定する。矩形の塗りつぶし色は、背景色５０７、５０７ａで設定する。矩形の角の形状は、形状５０８、５０８ａで設定する。矩形の角の形状は、丸角半径５０９、５０９ａで設定する。オフセット５１０、５１０ａは、開開始ライン番号５０１、５０１ａ、開始カラム番号５０２、５０２ａ、終了ライン番号５０３、５０３ａ、終了カラム番号５０４、５０４ａのドット単位での位置補正をする際に設定する。
【００３３】
図１０は、画像印刷コマンドの書式を示す図である。図１１は、画像印刷コマンドの設定表を示す図である。画像印刷コマンド６００の記載方法を、設定表６００ａを用いて説明する。
【００３４】
ファイル名６０３、６０３ａで設定した画像は、ライン番号６０１、６０１ａとカラム番号６０２、６０２ａで設定した位置に印刷される。高さ６０４、６０４ａと幅６０５、６０５ａの設定は、設定した画像をそのサイズに伸縮する。その際に、元画像の縦横比は保たれない。なお、高さ６０４、６０４ａを設定して、幅６０５、６０５ａの設定を省略したときは、設定した画像を、その高さに合わせて元画像の縦横比を保ったまま伸縮する。高さ６０４、６０４ａの設定を省略し、幅６０５、６０５ａを設定したときは、指定した画像を、その幅に合わせて元画像の縦横比を保ったまま伸縮する。また、高さ６０４、６０４ａ、及び、幅６０５、６０５ａは、０より大きい数値で指定する。オフセット６１０、６１０ａは、ライン番号６０１、６０１ａ、カラム番号６０２、６０２ａ、高さ６０４、６０４ａ、幅６０５、６０５ａのドット単位での位置補正をする際に設定する。
【００３５】
図１２は、ファイル保存画面を示す図である。印刷フォーム変換画面４００で、ファイルへ保存ボタン４０７を押すと、制御部１０１は、描画を印刷フォームファイル７００に出力する。その際、変換対象の印刷コマンドのみが、印刷フォームファイル７００に変換される。
【００３６】
図１３は、帳票等を発行する処理の流れを示すフローチャートである。図１３にて、帳票等を発行する際の制御部１０１の動作を説明する。
【００３７】
業務アプリケーション１１０の起動が命令されると、制御部１０１は、プログラム管理部１０２へファイルの展開要求を行う（ステップＳ１）。プログラム管理部１０２は、要求に従いミドルウェアファイル群１１１と、業務アプリケーションファイル群１１２を、ミドルウェア格納バッファ１０７と業務アプリケーション格納バッファ１０８に、それぞれ展開する。
【００３８】
展開が完了すると、制御部１０１は、プログラム実行部１０３へ業務アプリケーション１１０の起動要求を行う。プログラム実行部１０３は、要求に従い業務アプリケーション１１０を起動する（ステップＳ２）。
【００３９】
業務アプリケーション１１０が起動されると、制御部１０１は、表示制御部１０４に画面設定ファイルの内容に従い入力画面２００を表示させる（ステップＳ３）。
【００４０】
入力画面２００の各入力項目について入力され、締めボタン２０１が押下されると、制御部１０１は、プログラムファイルと、画面設定ファイルと、データファイルと、の内容を表示制御部１０４に解析させながら印刷プレビュー画面３００を表示させる（ステップＳ４）。
【００４１】
制御部１０１は、ユーザにより終ボタン３０６が押下されたか否かを判定する（ステップＳ５）。終ボタン３０６が押下された場合に、制御部１０１は、ステップＳ１４に遷移させる（ステップＳ５のＹｅｓ）。終ボタン３０６が押下されない場合に、制御部１０１は、ステップＳ６に遷移させる（ステップＳ５のＮｏ）。
【００４２】
制御部１０１は、ユーザにより指定頁ボタン３０３、全頁ボタン３０４、現頁ボタン３０５からなる印刷を実行するボタンが押下されたか否かを判定する（ステップＳ６）。印刷を実行するボタンの何れかが押下された場合に、制御部１０１は、ステップＳ１３に遷移させる（ステップＳ６のＹｅｓ）。印刷を実行するボタンの何れもが押下されない場合に、制御部１０１は、ステップＳ７に遷移させる（ステップＳ６のＮｏ）。
【００４３】
制御部１０１は、特定のキー入力またはジャンプボタン３０１の押下による、印刷フォーム変換画面４００の表示要求がされるか否かを判定する（ステップＳ７）。ユーザにより印刷フォーム変換画面４００を表示させる操作が行われた場合に、制御部１０１は、ステップＳ８に遷移させる（ステップＳ７のＹｅｓ）。ユーザにより印刷フォーム変換画面４００を表示させる操作が行われない場合に、制御部１０１は、ステップＳ４に遷移させる（ステップＳ７のＮｏ）。
【００４４】
制御部１０１は、表示制御部１０４に印刷フォーム変換画面４００を表示させる（ステップＳ８）。
【００４５】
ユーザがコマンドリスト４０２の変換列４０３のチェックを変更すると、変更されたコマンドリスト４０２に従い、制御部１０１は、表示制御部１０４に印刷プレビュー変換画面４０１を表示させる（ステップＳ９）。
【００４６】
制御部１０１は、ユーザによりファイルへ保存ボタン４０７が押下されるか否かを判定する（ステップＳ１０）。ファイルへ保存ボタン４０７が押下された場合に、制御部１０１は、ステップＳ１２に遷移させる（ステップＳ１０のＹｅｓ）。ファイルへ保存ボタン４０７が押下されない場合に、制御部１０１は、ステップＳ１１に遷移させる（ステップＳ１０のＮｏ）。
【００４７】
制御部１０１は、ユーザによりキャンセルボタン４０８が押下されるか否かを判定する（ステップＳ１１）。キャンセルボタン４０８が押下された場合に、制御部１０１は、ステップＳ４に遷移させる（ステップＳ１１のＹｅｓ）。キャンセルボタン４０８が押下されない場合に、制御部１０１は、ステップＳ９に遷移させる（ステップＳ１１のＮｏ）。
【００４８】
ファイルへ保存ボタン４０７が押下された場合に、制御部１０１は、印刷フォームファイル７００を出力して保存させる（ステップＳ１２）。その後、制御部１０１は、ステップＳ４に遷移させて表示制御部１０４印刷プレビュー画面３００を表示させる。
【００４９】
印刷を実行する何れかのボタンが押下された場合に、制御部１０１は、印字制御部１８へ印刷要求を行う（ステップＳ１３）。印刷要求により印字制御部１８は、データの印字出力と、罫線印刷コマンドと画像印刷コマンドの内容に従い印刷出力を行う。また、印刷出力の際に、印刷フォームファイル７００を使用する場合は、データ印刷、罫線・画像印刷コマンドと合わせて印刷フォームファイル７００の内容も印刷出力される。それにより、プリンタ６にて帳票等が発行される。その後、制御部１０１は、ステップＳ４に遷移させて表示制御部１０４印刷プレビュー画面３００を表示させる。
【００５０】
終ボタン３０６が押下された場合に、制御部１０１は、業務アプリケーション１１０を終了する（ステップＳ１４）。
【００５１】
以上説明したように、本実施形態によれば、従来、コマンドにて作成していた帳票等のフォームを、ＧＵＩを用いたツールで作成した形式である印刷フォームファイル７００に変換することにより、移行作業にかかる作業時間を短くすることができる。また、視覚的に移行作業を行う事ができるため、間違える可能性を低減させる効果がある。
【００５２】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更、追加、組み合わせ等を行うことができる。また、上記実施形態やその変形は、発明の範囲や要旨に含まれるとともに、特許請求の範囲に記載された発明とその均等の範囲に含まれる。
【００５３】
また、上記実施形態は、プログラムファイルに記載されているコマンドをコマンドリスト４０２へ表示している。また、マウス１６などを用いて印刷プレビュー変換画面４０１に描画を追加する機能も有している。この機能を利用して、追加された描画をプログラムファイルに追加してもよい。この場合、制御部１０１は、追加された描画をコマンドに変換して、プログラムファイルの最後に追加すればよい。
【００５４】
また、上記実施形態は、コマンドリスト４０２の特定のコマンドを選択状態にすると、印刷プレビュー変換画面４０１の該当する描画の四隅または両端に、四角形の選択マーク４０６を表示する。しかし、これに限らず、選択マーク４０６は、三角形や丸形等であってもよい。あるいは、描画を強調表示等で表示させてもよい。
【符号の説明】
【００５５】
制御部                  １０１
表示制御部              １０４
業務アプリケーション    １１０
印刷フォーム変換画面    ４００
印刷プレビュー変換画面  ４０１
コマンドリスト          ４０２
変換列                  ４０３
選択マーク              ４０６
印刷フォームファイル    ７００
【先行技術文献】
【特許文献】
【００５６】
【特許文献１】特開２００４−２１３０７４号公報
【図１】
2014160312.tif 000003
【図２】
2014160312.tif 000004
【図３】
2014160312.tif 000005
【図４】
2014160312.tif 000006
【図５】
2014160312.tif 000007
【図８】
2014160312.tif 000008
【図９】
2014160312.tif 000009
【図１０】
2014160312.tif 000010
【図１１】
2014160312.tif 000011
【図１２】
2014160312.tif 000012
【図１３】
2014160312.tif 000013
【図６】
2014160312.tif 000014
【図７】
2014160312.tif 000015